【手続補正書】
【提出日】平成20年10月1日(2008.10.1)
【手続補正１】
【補正対象書類名】特許請求の範囲
【補正対象項目名】全文
【補正方法】変更
【補正の内容】
【特許請求の範囲】
【請求項１】
軽金属材料を押出し成形して形成された支持形材（１２，１３）と、より硬度の高い金属で作られ、かつ、前記支持形材の頂部表面（２８）を覆うように配置された、形材ストリップ（４０，４１）とを有する、複合形材において、
前記支持形材（１２，１３）の前記頂部表面、又は、上部表面（２８）に事実上載置された前記形材ストリップ（４０，４１）に、挿入ロッド（５０，５０ａ，５０ｂ，５０ｃ，５０ｅ，５０ｇ；５１，５１ｋ；５２）を取り付け、前記挿入ロッドは前記形材ストリップの複数の縦方向側面の各々に位置し、前記挿入ロッドは、前記形材ストリップの長手方向軸（Ｂ）に平行をなし、かつ、前記支持形材に形成された側面スロット（３０，３０ａ，３１，３５）に係合し、前記挿入ロッドは溶接シーム（４８）によって前記形材ストリップに接合されていることを特徴とする、複合形材。
【請求項２】
請求項１に記載された複合形材において、前記形材ストリップ、又は、被覆形材（４０，４１）は、特殊鋼から形成されていることを特徴とする、前記複合形材。
【請求項３】
請求項１又は２に記載された複合形材において、前記留め具、又は、挿入ロッド（５０，５０ａ，５０ｂ，５０ｃ，５０ｅ，５０ｇ；５１，５１ｋ；５２）は、前記形材ストリップ又は被覆形材（４０，４１）の材料で形成されていることを特徴とする、前記複合形材。
【請求項４】
請求項１乃至３のうちのいずれか一項に記載された複合形材において、前記挿入ロッド（５０，５０ａ，５０ｂ，５０ｃ，５０ｅ；５１，５１ｋ；５２）の自由端の厚さ（ａ１，ａ２）は、前記スロット（３０，３０ａ，３１，３２，３５）の幅（ａ）に対応していることを特徴とする、前記複合形材。
【請求項５】
請求項１乃至４のうちのいずれか一項に記載された複合形材であって、レール状の支持形材のレール頭に載置された溝状の形態の形材ストリップを有する、前記複合形材において、前記挿入ロッド（５０，５０ａ，５０ｂ，５０ｃ，５０ｅ；５０ｇ；５１）は、前記形材ストリップ（４０）のベース・プレート（４２）に一体的に形成されたサイド・アーム（４６）に連結され、かつ、他方では、前記サイド・アームから、前記支持形材（１２，１３）の前記スロット（３０，３１，３５）の内部に突出している、少なくとも一つのロッド部分（４９ｉ；５４，５５；５６，５６ａ）と係合することを特徴とする、前記複合形材。
【請求項６】
請求項１乃至５のうちのいずれか一項に記載された複合形材であって、前記溶接シーム（４８）は、前記サイド・アーム（４６）の端面（４７）に延在することを特徴とする、前記複合形材。
【請求項７】
請求項１乃至６のうちのいずれか一項に記載された複合形材において、ほぼＶ字形の横断面を有する溝状の挿入ロッド（５０）は、一方の溝アーム（４９）によって、前記形材ストリップ（４０）の前記サイド・アーム（４６）の内壁に当接し、他方の溝アーム（４９ｉ）は、前記形材ストリップの前記長手方向軸（Ｂ）の方向に向けられていることを特徴とする、前記複合形材。
【請求項８】
請求項７に記載された複合形材において、前記支持形材（１２）の前記レール頭（２２）に形成された前記スロット（３０）の横断面をＶ字形に形成し、前記複数のスロット・アームのうちの一つは、前記レール頭の側面、又は、縦方向表面（２４）に形成された縦方向凹部（３２）であることを特徴とする、前記複合形材。
【請求項９】
請求項７又は８に記載された複合形材において、前記溝の横断面の頂角（ｗ１）は、ほぼ６０°から７０°までの範囲にあり、好ましくは、６５°であることを特徴とする、前記複合形材。
【請求項１０】
請求項１乃至６のうちのいずれか一項に記載された複合形材において、角度をなした横断面を有する挿入ロッド（５０ａ）は、一方の溝アーム（５５）によって、前記形材ストリップ（４０）の前記サイド・アーム（４６）の内壁に当接し、他方の溝アーム（５５ｉ）は、前記形材ストリップの前記ベース・プレート（４２）から離隔するように傾斜させられ、又は、前記ベース・プレートに向かって傾斜させられていることを特徴とする、前記複合形材。
【請求項１１】
請求項１０に記載された複合形材において、前記二つの溝アーム（５５，５５ｉ）によって画成された角度は、９０°よりも大きな角度であり、好ましくは、約１１０°であることを特徴とする、前記複合形材。
【請求項１２】
請求項１乃至６のうちのいずれか一項に記載された複合形材において、ほぼ半円形の横断面を有する挿入ロッド（５０ｂ）は、その頂点部において、前記形材ストリップ（４０）の前記サイド・アーム（４６）の端面（４７）に溶接されていることを特徴とする、前記複合形材。
【請求項１３】
請求項１２に記載された複合形材において、前記形材ストリップ（４０）の前記二つの挿入ロッド（５０ｂ）は、共通の中央軸線（Ｍ）上に配置され、かつ、互いに向かって開放していることを特徴とする、前記複合形材。
【請求項１４】
請求項１３に記載された複合形材において、前記挿入ロッド（５０ｂ）の前記中央軸線（Ｍ）は、前記複合形材（１０ｂ）の横断面の縦軸（Ｑ）と交差することを特徴とする、前記複合形材。
【請求項１５】
請求項１３又は１４に記載された複合形材において、前記レール頭（２２ｇ）の前記二つの縦方向表面（２４）のそれぞれにおける前記挿入ロッド（５０ｂ）の前記中央軸線（Ｍ）が、ビード（３６）の位置を画定し、前記ビード（３６）の横断面は、前記挿入ロッドの前記内側の形状に適合し、そして、挿入スロット（３５）によって、二つの側面にそれぞれ画定されていることを特徴とする、前記複合形材。
【請求項１６】
請求項１乃至６のうちのいずれか一項に記載された複合形材において、前記レール頭（２２ｄ）用の前記挿入ロッド（５０ｃ）の横断面は、四分円部分（５４）と直線部分（４９ｃ）とから成り、前記直線部分（４９ｃ）は、前記形材ストリップ（４０）の前記サイド・アーム（４６）の内壁に当接し、前記形材ストリップ（４０）の端面（４７）に溶接されていることを特徴とする、前記複合形材。
【請求項１７】
請求項１６に記載された複合形材において、前記二つの挿入ロッド（５０ｃ）の前記四分円部分（５４）は、前記形材ストリップ（４０）の前記ベース・プレート（４２）の方向に向けられ、又は、前記形材ストリップ（４０）の前記ベース・プレート（４２）から離隔する方向に向けられていることを特徴とする、前記複合形材。
【請求項１８】
請求項１６又は１７に記載された複合形材において、前記挿入ロッド（５０ｃ）の前記直線部分（４９ｃ）のために前記レール頭（２２ｄ）に形成された前記スロット（３０ｃ）は、前記レール頭（２２ｄ）の前記縦方向表面（２４）に縦方向凹部（３２）を有することを特徴とする、前記複合形材。
【請求項１９】
請求項１乃至６のうちのいずれか一項に記載された複合形材において、フック形の断面を有する挿入ロッド（５０ｅ）は、前記形材ストリップの前記サイド・アーム（４６）から距離（ｋ１）だけ離隔して、前記形材ストリップ（４０）の前記ベース・プレート（４２）の方向に延在する、自由屈曲部分（５６）を有し、前記挿入ロッド（５０ｅ）は、前記サイド・アームの前記端面（４７）に、前記自由屈曲部分（５６）の反対側の端部を溶接されていることを特徴とする、前記複合形材。
【請求項２０】
請求項１乃至１９のうちのいずれか一項に記載された複合形材において、前記頂部表面（２８）から間隔をおいて一体的に形成され、かつ、前記レール頭（２２、２２ａ乃至２２ｅ）の下部表面（２６）によって画成された、縦方向リブ（３４、３４ａ）は、前記レール頭（２２、２２ａ乃至２２ｅ）の前記スロット状の凹部（３０，３０ａ，３０ｃ；３５）の下方に係合することを特徴とする、前記複合形材。
【請求項２１】
請求項１乃至６のうちのいずれか一項に記載された複合形材において、フック形の横断面を備えた挿入ロッド（５０ｅ）は、前記形材ストリップ（４０）の前記サイド・アーム（４６）から間隔（ｋ１）をおいて延在し、かつ、前記形材ストリップ（４０）の前記ベース・プレート（４２）から離隔する方向に向かう、自由屈曲部分（５６）を有し、前記挿入ロッド（５０ｅ）は、前記挿入ロッド（５０ｅ）の反対側の端部を、前記サイド・アームの前記端面（４７）に溶接されていることを特徴とする、前記複合形材。
【請求項２２】
請求項１乃至６のうちのいずれか一項に記載された複合形材において、階段状の横断面を有する挿入ロッド（５０ｇ）は、前記挿入ロッド（５０ｇ）の一端が、前記形材ストリップの前記サイド・アーム（４６）の前記内面に溶接され、かつ、自由フック端部（５６）を有する前記挿入ロッド（５０ｇ）の他端が、前記レール頭（２２ｇ）の前記縦方向表面（２４）のペグ・ストリップ（３７）の裏側に係合することを特徴とする、前記複合形材。
【請求項２３】
請求項１乃至６のうちのいずれか一項に記載された複合形材において、直線状の横断面を備えた挿入ロッド（５１）は、前記形材ストリップの前記サイド・アーム（４６）に接する内面に載置され、かつ、前記サイド・アーム（４６）の端面（４７）を超えて突出し、前記端面（４７）に溶接されていることを特徴とする、前記複合形材。
【請求項２４】
請求項１乃至６のうちのいずれか一項に記載された複合形材において、直線状の横断面を備えた挿入ロッド（５１）は、前記挿入ロッド（５１）の一方の端部が前記形材ストリップのサイド・アーム（４６）の前記端面（４７）に溶接され、かつ、前記複合形材（１０ｉ；１０ｋ）の断面の縦方向軸線（Ｑ）に対して、約６０°乃至８０°の角度（ｗ２）をなして傾斜し、好ましくは、７０°乃至７５°の角度をなして傾斜していることを特徴とする、前記複合形材。
【請求項２５】
請求項１乃至６のうちのいずれか一項に記載された複合形材において、前記形材ストリップ（４０）の縦方向軸線（Ｂ）に平行をなす直線状の挿入ロッド（５２）を、前記形材ストリップの前記サイド・アーム（４６）の内側面に対して、前記形材ストリップの端面（４７）の領域で、固定したことを特徴とする、前記複合形材。
【請求項２６】
請求項２５に記載された複合形材において、前記直線状の挿入ロッド（５２）は、約５乃至１０ｍｍの直径（ｄ）を有する丸棒であることを特徴とする、前記複合形材。
【請求項２７】
請求項２５又は２６に記載された複合形材において、前記複合形材（１０ｍ）の前記レール頭（２２ｍ）の側面、又は、複数の縦方向表面（２４）に、それぞれ、縦方向溝（６０）が形成され、前記縦方向溝（６０）の底部は、前記丸棒（５２）に適合するように、湾曲した横断面をなしていることを特徴とする、前記複合形材。
【請求項２８】
請求項１乃至４のうちのいずれか一項に記載された複合形材において、前記支持形材（１３）は箱形をなし、板状の形材ストリップ（４４）を前記支持形材（１３）の上部表面（２８）に載置し、前記板状の形材ストリップ（４４）の複数の縦方向縁部（７０）には、それぞれ、挿入ロッド（５０、５０ａ、５１ｋ）が溶接シーム（４８）によって保持されていることを特徴とする、前記複合形材。
【請求項２９】
請求項２８に記載された複合形材において、前記形材ストリップ（４４）の幅（ｂ）は、前記支持形材（１３）の幅（ｂ１）よりも小さく、前記複数の挿入ロッド（５０、５０ａ、５１ｋ）は、それぞれ、スロット（３１）に挿入され、前記スロット（３１）は、前記支持形材の階段状凹所（６８）から延在していることを特徴とする、前記複合形材。
【請求項３０】
請求項２９に記載された複合形材において、前記階段状凹所（６８）は、前記支持形材（１３）の二つの、互いに対向したコーナー領域に配置されていることを特徴とする、前記複合形材。
【請求項３１】
請求項１乃至３０のうちのいずれか一項に記載した複合形材の製造方法であって、頂部表面と複数の挿入スロットとを有し、かつ、前記挿入スロットを両側に備える、支持形材を、軽金属材料から押出し成形し、留め具、又は、挿入ロッドを、前記各挿入スロットに導入し、より硬度の高い材料によって作られ、かつ前記頂部表面を部分的に覆う形材ストリップ、又は、被覆形材を、前記挿入ロッドが前記挿入スロットから突出した部分に接触させて配置することを特徴とする、複合形材の製造方法。
【請求項３２】
請求項３１に記載された方法において、前記挿入ロッドは、前記支持形材に対して、大きな力で圧延又はプレスされることを特徴とする、前記方法。
【請求項３３】
請求項３１又は３２に記載された方法において、前記形材ストリップは、前記支持形材に対して、傾斜して圧入されることを特徴とする、前記方法。
【請求項３４】
請求項３１乃至３３のうちのいずれか一項に記載された方法において、前記挿入ロッドは、前記形材ストリップに対して、連続的に溶接されていることを特徴とする、前記方法。